(57)【要約】      （修正有）【課題】透明なドーム内に雪等に見立てた浮遊体、人形等のキャラクター、建物、樹木、海草等を水と共に封入して、浮遊体の動きを楽しむ。【解決手段】プラスチックまたはガラスで形成された透明ドーム１内に、水及び水中浮遊体３１を封入し、透明ドーム下部の羽根部材４を往復動させて水中浮遊体が浮遊するように構成したことを特徴とし、プラスチックまたはガラスで形成された透明ドームの下部は基部ハウジング２で密閉されており、基部ハウジング内には電池７、回路基板５、電磁コイル６等が収納され、電磁コイルのＮ極とＳ極が交互に切り換えられて羽根部材に組みこまれたマグネットに作用して、羽根部材を往復動させ、水中浮遊体を透明ドーム内上部へ押し上げ、押し上げられた浮遊体が不特定の動作で浮遊するように構成したことを特徴とする水中浮遊体封入玩具。【選択図】図１
0003143228.tif 000002
【実用新案登録請求の範囲】
【請求項１】
プラスチックまたはガラスで形成された透明ドーム内に水及び水中浮遊体を封入し、透明ドーム下部の羽根部材を往復動させて水中浮遊体が浮遊するように構成したことを特徴とする水中浮遊体封入玩具。
【請求項２】
プラスチックまたはガラスで形成された透明ドームの下部は基部ハウジングで密閉されており、基部ハウジング内には電池、回路基板、電磁コイル等が収納され、電磁コイルのＮ極とＳ極が交互に切り換えられて羽根部材に組みこまれたマグネットに作用して、羽根部材を往復動させ、水中浮遊体を透明ドーム内上部へ押し上げ、押し上げられた浮遊体が不特定の動作で浮遊するように構成したことを特徴とする水中浮遊体封入玩具。
【請求項３】
プラスチック等で形成された水中浮遊体が雪に見立てた浮遊体、藻に見立てた浮遊体、魚に見立てた浮遊体等で構成されていることを特徴とする請求項１記載の水中浮遊体封入玩具。
【請求項４】
透明ドーム内にキャラクターや建物を模した形成物が載置されていることを特徴とする請求項１記載の水中浮遊体封入玩具。
【考案の詳細な説明】
【技術分野】
【０００１】  本考案は水中浮遊体封入玩具に関し、特に透明なドーム内に雪等に見立てた浮遊体、人形等のキャラクター、建物、樹木、海草等を水と共に封入して、浮遊体の動きを楽しむことのできる玩具及びインテリア用品に関する。
【背景技術】
【０００２】  従来、水中浮遊体を観察するための考案や発明として、循環機構式ウオーターボールや水槽玩具が提案されている。【０００３】
【実用新案文献１】
実開平７−４３７５１号公報
【特許文献２】  特開２００２−２８３８１号公報
【考案の開示】
【考案が解決しようとする課題】
【０００４】  従来のスノーボールと称される玩具は、逆さにして元に戻すことによって降雪の擬似的表現を行っているので、この手間を省く考案が前記せる実開平７−４３７５１号公報に開示されている。【０００５】  しかしながら、この考案は水中にモーターや羽根車が配置された循環機構であって、故障し易いものであった。【０００６】  また、前記せる特開２００２−２８３８１号公報に開示せる技術内容は、浮力を有する水中動作体と水槽下部の駆動機構とを糸で連結し、その糸の動作で水中動作体を動かすものであった。【０００７】  この場合も糸穴から水槽内の水がもれたり、故障し易いばかりでなく、糸の動作で水中動作体を動かすものであるから、水中動作体の擬似的動作表現を満足させるものではなかった。
【課題を解決するための手段】
【０００７】  本考案の水中浮遊体封入玩具は、上記せる課題を解決するために鋭意研究の結果、考案されたものであり、プラスチックまたはガラスで形成された透明ドーム内に水及び水中浮遊体を封入し、透明ドーム下部の羽根部材を往復動させて水中浮遊体が浮遊するように構成したことを特徴とし、プラスチックまたはガラスで形成された透明ドームの下部は基部ハウジングで密閉されており、基部ハウジング内には電池、回路基板、電磁コイル等が収納され、電磁コイルのＮ極とＳ極が交互に切り換えられて羽根部材に組みこまれたマグネットに作用して、羽根部材を往復動させ、水中浮遊体を透明ドーム内上部へ押し上げ、押し上げられた浮遊体が不特定の動作で浮遊するように構成したことを特徴とし、プラスチック等で形成された水中浮遊体が雪に見立てた浮遊体、藻に見立てた浮遊体、魚に見立てた浮遊体等で構成されていることを特徴とし、且つ、透明ドーム内にキャラクターや建物を模した形成物が載置されていることを特徴とする水中浮遊体封入玩具を提供する。
【考案の効果】
【０００８】  本考案の水中浮遊体封入玩具によれば、水中において不特定の動作をなす雪や藻を模した浮遊体を観察することができ、美しい意匠効果を奏するものであり、見る人の安らぎになり、また、小児にとっては雪降る中のサンタクロースや雪だるまを観察することによって、また藻や海草の中を泳ぐ魚等を想像することができ、小児の夢をふくらませることができる効果がある。
【考案を実施するための最良の形態】
【０００９】  以下、図面に示す実施例に基づき、本考案の具体的な構成を説明する。
図面に於いて図１は本考案に係る水中浮遊体封入玩具を部分断面表示した正面図である。図２は図１のＡ―Ａ線断面図である。図３は本考案に係る水中浮遊体封入玩具の底面図である。図４は本考案に係る水中浮遊体封入玩具を部分断面表示した他の実施例を示す正面図である。【００１０】  図１乃至図２に示すように、プラスチックまたはガラスで形成された透明ドーム１内には水１２及び水中浮遊体３１を封入されている。【００１１】  すなわち、プラスチックまたはガラスで形成された透明ドーム１と基部ハウジング２とは完全に密着されており、透明ドーム１は完全に水密状態になっている。【００１２】  透明ドーム１下部の羽根部材４は後述するように往復動して水中浮遊体３１が浮遊するように構成されている。【００１３】  基部ハウジング２内には電池７、回路基板５、電磁コイル６等が収納され、回路（図示せず）によって、電磁コイル６のＮ極とＳ極が交互に切り換えられて、図２に示すような羽根部材４に組みこまれたマグネット１３，１３に作用して、羽根部材４を往復動させることができる。【００１４】  その結果、水中浮遊体３１を透明ドーム１内の上部へ押し上げ、押し上げられた浮遊体が不特定の動作で浮遊するように構成されている。【００１５】  図１にしめすように、プラスチック等で形成された水中浮遊体３１を雪に見立てた形状では、擬似的降雪を表現することができる。【００１６】  図１に示すように、透明ドーム１内にはキャラクターや建物を模した形成物が載置されているが、煙突８１に入ろうとするサンタクロース８や雪だるま８２に雪が降る光景を想起することができる。【００１７】  また、図４に示す他の実施例図面では、藻などの浮遊体３１や海草３２の間を魚８３が泳いだり、くらげ８４が浮遊している様子が想起できる。【００１８】  羽根部材４は固定軸９を介して往復動するボス部９１と一体的になって往復動するが、電磁コイル６とは非接触で動作する。【００１９】  電磁コイル６の駆動及び開始は、スタートスイッチ及び回路（図示せず）によって行われる。【００２０】  基部ハウジング２の底部には電池７が収納され、図３に示すように電池７の交換時には電池蓋１４を開閉する。【００２１】  また、固定台１０の任意個所には発光ダイオード１１が配置されており、浮遊体３１等を美しく投影する。
【図面の簡単な説明】
【００２２】
【図１】本考案に係る水中浮遊体封入玩具を部分断面表示した正面図である。
【図２】図１のＡ―Ａ線断面図である。
【図３】本考案に係る水中浮遊体封入玩具の底面図である。
【図４】本考案に係る水中浮遊体封入玩具を部分断面表示した他の実施例を示す正面図である。
【符号の説明】
【００２３】  １  透明ドーム
２  基部ハウジング
３  沈殿浮遊体
３１  浮遊体
３２  海草
４  羽根部材
５  回路基盤
６  電磁コイル
７  電池
８  サンタクロース
８１  煙突
８２  雪だるま
８３  魚
８４  くらげ
９  固定軸
９１  ボス部
１０  固定台
１１  発光ダイオード
１２  水
１３  マグネット
１４  電池蓋
【図１】
0003143228.tif 000003
【図２】
0003143228.tif 000004
【図３】
0003143228.tif 000005
【図４】
0003143228.tif 000006
【手続補正書】
【提出日】平成20年1月31日(2008.1.31)
【手続補正１】
【補正対象書類名】実用新案登録請求の範囲
【補正対象項目名】全文
【補正方法】変更
【補正の内容】
【実用新案登録請求の範囲】
【請求項１】
プラスチックまたはガラスで形成された透明ドーム内に水及び水中浮遊体を封入し、透明ドーム下部の羽根部材を往復動させて水中浮遊体が浮遊するように構成したことを特徴とする水中浮遊体封入玩具。
【請求項２】
プラスチックまたはガラスで形成された透明ドームの下部は基部ハウジングで密閉されており、基部ハウジング内には電池、回路基板、電磁コイル等が収納され、電磁コイルのＮ極とＳ極が交互に切り換えられて羽根部材に組みこまれたマグネットに作用して、羽根部材を往復動させ、水中浮遊体を透明ドーム内上部へ押し上げ、押し上げられた浮遊体が不特定の動作で浮遊するように構成したことを特徴とする請求項１記載の水中浮遊体封入玩具。
【請求項３】
プラスチック等で形成された水中浮遊体が雪に見立てた浮遊体、藻に見立てた浮遊体、魚に見立てた浮遊体等で構成されていることを特徴とする請求項１記載の水中浮遊体封入玩具。
【請求項４】
透明ドーム内にキャラクターや建物を模した形成物が載置されていることを特徴とする請求項１記載の水中浮遊体封入玩具。